(57)【要約】      （修正有）【課題】回転する発光体を介して立体映像を表示する発光ペンライトを提供する。【解決手段】発光ペンライト１００は、発光部２００と、発光部を支持する取手部３００と、を含む。発光部は、少なくとも１つの色を発光し、２次元形状の線や面により構成される発光体と、発光体の一端と連結され、発光体をその場回転させる回転部と、発光体内で特定の色が発光する発光位置と特定の色が発光する回転軸上の発光角度を制御する制御信号を生成し、発光体に提供する制御部と、により構成する。【選択図】図１
2020177902.tif 000002
【特許請求の範囲】
【請求項１】
光素子の回転による映像発光ペンライトにおいて、
発光部と、前記発光部を支持する取手部と、を含み、
前記発光部は、
少なくとも１つの色を発光し、２次元形状の線や面により構成される発光体と、
前記発光体の一端と連結され、前記発光体をその場回転させる回転部と、
前記発光体内で特定の色が発光する発光位置と前記特定の色が発光する回転軸上の発光角度を制御する制御信号を生成し、前記発光体に提供する制御部と、
を含み、
前記発光体は、
回転することによって３次元形状の立体発光領域が形成され、
前記発光体の回転によって特定の対象体が再生される場合、前記発光体を見る人の角度に応じて前記特定の対象体に対する異なる映像が見えるよう、前記制御部は前記発光位置と前記発光角度を制御する、光素子の回転による映像発光ペンライト。
【請求項２】
前記立体発光領域の体積よりも大きい体積を有する保護ケースをさらに含み、
前記保護ケースは、前記発光体が発光する光を透過させることのできる素材にて備えられる、請求項１に記載の光素子ベースの映像発光ペンライト。
【請求項３】
前記回転部及び前記制御部に電源を供給し、前記取手部に実装されるバッテリー部をさらに含み、
前記回転部は、６０Ｈｚ以上の周期で回転する、請求項１に記載の光素子ベースの映像発光ペンライト。
【請求項４】
前記制御部は、
前記回転部によって回転するように前記発光体と共に連結され、
前記取手部は回転しないものである、請求項３に記載の光素子ベースの映像発光ペンライト。
【請求項５】
前記発光体は、
複数のサブ発光素子を含み、前記複数のサブ発光素子は、所定間隔離間して備えられ、少なくとも２つの前記サブ発光素子は、互いに異なる色を発光し、
前記回転軸の長さよりも長い長さに備えられ、曲線状に固定される、請求項１に記載の光素子ベースの映像発光ペンライト。
【請求項６】
前記回転部は、棒状の回転軸を含み、
前記発光体の両端は、前記回転軸の両端に固定されて回転する、請求項１に記載の光素子ベースの映像発光ペンライト。
【請求項７】
前記制御部は、
前記回転部を回転させるモータによって回転角度を収集し、予め設定された発光アルゴリズムに従い、前記発光体が特定の回転角度に位置した際に前記発光体内の特定の位置で予め設定された色が発光するよう、制御信号を前記発光体に提供し、
前記回転部は、回転体及び前記回転体を囲んで構成される一側に磁力を有する素材を備える回転体周辺部を含み、
前記回転体と前記磁力を有する素材とが互いに対応する位置に配列される瞬間の回転角度を０度に設定し、設定された角度を基準に回転角度を測定する、請求項１に記載の光素子ベースの映像発光ペンライト。
【請求項８】
前記発光角度は、前記回転部の回転角度に基づいて定義されるものであり、
前記制御部は、同じ発光角度であっても、前記発光体の発光時間及び発光色を変化させ、前記発光体の回転によって提供される映像やテキストにアニメーション効果が提供されたり、映像やテキストを変化させる、請求項１に記載の光素子ベースの映像発光ペンライト。
【請求項９】
前記立体発光領域は、前記発光体が回転することで形成する３次元構造物の表面の一部領域に形成され、
前記一部領域は、前記３次元構造物の表面の中心付近に形成され、
前記３次元構造物の表面における上部の一領域と下部の一領域に形成されず、
前記３次元構造物は、中心軸を基準に対称的な形状を有する構造物である、請求項１に記載の光素子ベースの映像発光ペンライト。
【請求項１０】
光素子の回転による映像発光装置において、
少なくとも１つの色を発光し、２次元形状の線や面により構成される発光体と、
前記発光体の一端と連結され、前記発光体をその場回転させる回転部と、
前記発光体内で特定の色が発光する発光位置と前記特定の色が発光する回転軸上の発光角度を制御する制御信号を生成し、前記発光体に提供する制御部と、
を含み、
前記発光体は、
回転することによって３次元形状の立体発光領域が形成され、
前記発光体の回転によって特定の対象体が再生される場合、前記発光体を見る人の角度に応じて前記特定の対象体に対する異なる映像が見えるよう、前記制御部は前記発光位置と前記発光角度を制御する、光素子の回転による映像発光装置。
【発明の詳細な説明】
【技術分野】
【０００１】
本発明は、光素子ベースの立体映像発光ペンライトに関し、より詳しくは、２次元形状の線又は面状の発光体が回転することによって、球状の立体発光領域が形成され、立体発光領域を介して映像やテキストを提供することができるペンライトに関する。
【背景技術】
【０００２】
従来のペンライトは、蛍光物質を塗布するか、別途のバッテリーを備え、照明効果を得る棒状の物を指称する単語として広く用いられており、応援道具として様々な色を表示したり、様々な模様を有していた。
【０００３】
公演会場で応援道具として用いられる場合、特定のフレーズを表示したり、様々な形状を有するように製作されてはいたが、発光機能のみを有しており、その表現には限界が存在した。
【０００４】
また、公演会場の場合、特定歌手毎に定められた模様や色があり、当該歌手に対する模様や色が変更されたり、他の歌手を応援する場合は使用が難しいという問題点が存在した。
【０００５】
さらに、従来は、ペンライトなどの応援道具を指定された席に応じて公演時に提供したり、位置情報を予め入力してから公演の演出をするなど、その使用や運営に不便があり、毎度新たなペンライトを提供しなければならないという問題点が存在した。
【発明の概要】
【発明が解決しようとする課題】
【０００６】
本発明は、上述した従来技術の問題点を解決するためのものであって、回転する発光体を介して立体映像を提供することにより、文字、イメージ、及び動画を表示することを目的としている。
【０００７】
さらに、球状を有しているが、提供される立体映像を通じて所望する模様が見えるように表示し、所望する映像やイメージを表示することができ、簡単な操作で公演の演出をするすることを目的としている。
【課題を解決するための手段】
【０００８】
上述した技術的課題を解決するための技術的手段として、本発明の一実施例に係る、光素子の回転による立体映像発光ペンライトは、発光部と、前記発光部を支持する取手部と、を含み、前記発光部は、少なくとも１つの色を発光し、２次元形状の線や面により構成される発光体と、前記発光体の一端と連結され、前記発光体をその場回転させる回転部と、前記発光体内で特定の色が発光する発光位置と前記特定の色が発光する回転軸上の発光角度を制御する制御信号を生成し、前記発光体に提供する制御部と、を含み、前記発光体は、回転することによって３次元形状の立体発光領域が形成され、前記発光体の回転によって特定の対象体が再生される場合、前記発光体を見る人の角度に応じて前記特定の対象体に対する異なる映像が見えるよう、前記制御部は前記発光位置と前記発光角度を制御することができる。
【０００９】
また、前記立体発光面の体積よりも大きい体積を有する保護ケースをさらに含み、前記保護ケースは、前記発光体が発光する光を透過させることのできる素材にて備えられ得る。
【００１０】
前記回転部及び前記制御部に電源を供給し、前記取手部に実装されるバッテリー部をさらに含み、前記回転部は、６０Ｈｚ以上の周期で回転し、前記制御部は、前記回転部によって回転するように前記発光体と共に連結され、前記取手部は回転しなくても良い。
【００１１】
前記発光体は、複数のサブ発光素子を含み、前記複数のサブ発光素子は、所定間隔離間して備えられ、少なくとも２つの前記サブ発光素子は、互いに異なる色を発光し、前記回転軸の長さと同一あるいは長い長さに備えられ、曲線状に固定されることができる。
【００１２】
前記回転部は、棒状の回転軸を含み、前記発光体の両端は、前記回転軸の両端に固定されて回転し、前記制御部は、前記回転部を回転させるモータによって回転角度を収集し、予め設定された発光アルゴリズムに従い、前記発光体が特定の回転角度に位置した際に前記発光体内の特定の位置で予め設定された色が発光するよう、制御信号を前記発光体に提供することができる。
【００１３】
また、モータから直接回転角度を収集することが難しい場合、前記回転部は、回転体及び前記回転体を囲んで構成される一側に磁力を有する素材を備える回転体周辺部を含み、前記回転体と前記磁力を有する素材とが互いに対応する位置に配列される瞬間の回転角度を０度に設定し、設定された角度を基準に回転角度を測定することができる。
【００１４】
さらに、前記発光角度は、前記回転部の回転角度に基づいて定義されるものであり、前記制御部は、同じ発光角度であっても、前記発光体の発光時間及び発光色を変化させ、前記発光体の回転によって提供される映像やテキストにアニメーション効果が提供されたり、映像やテキストを変化させることができ、前記立体発光領域は、前記発光体が回転することで形成する３次元構造物の表面の一部領域に形成され、前記一部領域は、前記３次元構造物の表面の中心付近に形成され、前記３次元構造物の表面における上部の一領域と下部の一領域に形成されなくても良く、前記３次元構造物は、中心軸を基準に対称的な形状を有する構造物であり得る。
【００１５】
また、本発明の一実施例に係る、光素子の回転による立体映像発光装置は、少なくとも１つの色を発光し、２次元形状の線や面により構成される発光体と、前記発光体の一端と連結され、前記発光体をその場回転させる回転部と、前記発光体内で特定の色が発光する発光位置と前記特定の色が発光する回転軸上の発光角度を制御する制御信号を生成し、前記発光体に提供する制御部と、を含み、前記発光体は、回転することによって３次元形状の立体発光領域が形成され、前記発光体の回転によって特定の対象体が再生される場合、前記発光体を見る人の角度に応じて前記特定の対象体に対する異なる映像が見えるよう、前記制御部は前記発光位置と前記発光角度を制御することができる。
【発明の効果】
【００１６】
本発明は、光素子ベースの立体映像発光ペンライトに関するものであって、発光体の回転によって立体映像を提供し、文字、イメージ、及び動画を表示できるようにすることで、様々な活用が可能となる。
【００１７】
また、公演の演出をする場合も、ペンライト自体で様々な形態の表現が可能となるので、簡便な操作で公演の演出をすることができ、コンサート会場及び公演会場での活用度が高くなり得る。
【００１８】
その他にも、立体映像の具現が必要な生活小物、インテリア小物のような時計、カレンダー、携帯電話及び番号標示器のような様々な分野で活用可能である。
【図面の簡単な説明】
【００１９】
【図１】本発明の一実施例に係る、光素子ベースの立体映像発光ペンライトに関する例示図である。
【図２】本発明の一実施例に係る、光素子ベースの立体映像発光ペンライトの内部に関する例示図である。
【図３】本発明の一実施例に係る、光素子ベースの立体映像発光ペンライトが動作する様子に関する例示図である。
【図４】本発明の一実施例に係る、光素子ベースの立体映像発光ペンライトの発光体が発光角度に応じて変化する様子に関する例示図である。
【図５】本発明の一実施例に係る、光素子ベースの立体映像発光ペンライトの立体発光領域に関する正面例示図である。
【図６】本発明の一実施例に係る、光素子ベースの立体映像発光ペンライトの立体発光領域に関する上側面例示図である。
【図７】本発明の一実施例に係る、光素子ベースの立体映像発光ペンライトから提供される映像を見る角度に応じて見える映像に関する例示図である。
【図８】本発明の一実施例に係る、光素子ベースの立体映像発光ペンライトに関する例示図である。
【図９】本発明の追加実施例に係る、光素子ベースの立体映像発光ペンライトに関する例示図である。
【図１０】本発明の追加実施例に係る、光素子ベースの立体映像発光ペンライトに関する例示図である。
【発明を実施するための形態】
【００２０】
以下では、添付した図面を参照しながら、本発明の属する技術分野において通常の知識を有する者が容易に実施できるように本発明の実施例を詳しく説明する。ところが、本発明は様々な異なる形態に具現されることができ、ここで説明する実施例に限定されるものではない。そして、図面において、本発明を明確に説明するために、説明とは関係ない部分は省略しており、明細書全体に亘って類似した部分に対しては類似した図面符号を付けている。
【００２１】
明細書全体において、ある部分が他の部分と「連結」されているという場合、これは「直接的に連結」されている場合だけでなく、その中間に他の素子を挟んで「電気的に連結」されている場合も含む。また、ある部分がある構成要素を「含む」という場合、これは、特に反対の記載がない限り、他の構成要素を除くのではなく、他の構成要素をさらに含み得ることを意味する。
【００２２】
本明細書において「部」とは、ハードウェアにより実現されるユニット（ｕｎｉｔ）と、ソフトウェアにより実現されるユニットと、両方を用いて実現されるユニットとを含む。また、１つのユニットが２つ以上のハードウェアを用いて実現されても良く、２つ以上のユニットが１つのハードウェアにより実現されても良い。一方、「〜部」は、ソフトウェア又はハードウェアに限定される意味ではなく、「〜部」は、アドレッシング可能な保存媒体にあるように構成されても良く、１つ又はそれ以上のプロセッサを再生するように構成されても良い。従って、一例として「〜部」は、ソフトウェア構成要素、オブジェクト指向ソフトウェア構成要素、クラス構成要素、及びタスク構成要素のような構成要素と、プロセス、関数、属性、プロシージャ、サブルーチン、プログラムコードのセグメント、ドライバー、ファームウエア、マイクロコード、回路、データ、データベース、データ構造、テーブル、アレイ、及び変数を含む。構成要素と「〜部」の中で提供される機能は、より少ない数の構成要素及び「〜部」により結合されるか、追加の構成要素と「〜部」にさらに分離され得る。それだけでなく、構成要素及び「〜部」は、デバイス又はセキュリティマルチメディアカード内の１つ又はそれ以上のＣＰＵを再生するように具現されることもできる。
【００２３】
本願の明細書において、発光体１２０によって表示される立体映像とは、３次元形状の立体発光領域４００に表示される２次元映像を意味し得る。
【００２４】
以下、図１を参照しながら、本発明の一実施例に係る、光素子ベースの立体映像発光ペンライトの外観について具体的に説明する。
【００２５】
本発明の一実施例に係る、光素子ベースの立体映像発光ペンライト１００（即ち、立体映像発光装置）は、大きく分けて発光部２００と、取手部３００と、により構成され、取手部３００は、支持部としての役割を果たすことができる。
【００２６】
発光部２００は、立体発光領域４００の体積よりも大きい体積を有する保護ケース１５０をさらに含み、保護ケース１５０は、発光体が発光する光を透過させることのできる素材にて備えられ得る。
【００２７】
保護ケース１５０は、発光体１２０の回転によって生じ得る安全の問題を解決することができる。また、保護ケース１５０は、回転する発光体１２０に障害物が接触して発光体が壊れたり、回転による立体映像が円滑に再生されない場合を防止することができる。
【００２８】
さらに、保護ケース１５０は、回転しない取手部３００に固定されるように形成され得る。
【００２９】
以下、図２を参照しながら、本発明の一実施例に係る、光素子ベースの立体映像発光ペンライトの内部について具体的に説明する。
【００３０】
発光部２００は、少なくとも１つの色を発光し、２次元形状の線や面により構成される発光体１２０と、発光体１２０の一端と連結され、発光体１２０をその場回転させる回転部１１０と、発光体１２０内で特定の色が発光する発光位置と特定の色が発光する回転軸上の発光角度を制御する制御信号を生成し、発光体１２０に提供する制御部１３０と、を含めて構成され得る。
【００３１】
このとき、発光体１２０は、回転することによって３次元形状の立体発光領域４００が形成され得る。
【００３２】
発光体１２０の回転によって特定の対象体が再生される場合、発光体１２０を見る人の角度に応じて特定の対象体に対する異なる映像が見えるよう、制御部１３０は発光位置と発光角度を制御することができる。
【００３３】
また、発光体１２０は、上述した例に限定されるものではなく、２次元形状の面や線のような形態で備えられても良く、回転部１１０も発光体１２０の形状に合わせて備えられられ得る。
【００３４】
例えば、「Ｕ」字状又は「Ｏ」字状に発光体１２０が備えられ、この場合、「Ｕ」字状又は「Ｏ」字状の発光体１２０の下端に回転部１１０が備えられて「Ｕ」字状又は「Ｏ」字状の下端の中心部に連結されることで、発光体１２０を回転させることができる。
【００３５】
このとき、制御部１３０は、発光部２００の内部に備えられ、発光体１２０に近接した位置に備えられて発光体１２０を制御する制御信号を提供することができる。
【００３６】
また、制御部１３０は、発光体１２０と連結されて備えられても良く、回転部１１０が発光体１２０を回転させることによって発光体１２０と共に回転することができる。
【００３７】
「Ｏ」字状に発光体１２０が備えられる場合、発光体１２０は、光素子が配置される円形の支持台を備え、円形の支持台に制御部１３０が実装されて備えられ得る。
【００３８】
図７を参照すると、見る人の角度に応じて見える特定の対象体に関する例示が示されている。
【００３９】
即ち、発光部２００で自動車に関する映像が表現されていると仮定する場合、発光部２００の正面から見える映像は自動車の正面に関する映像であり、発光部２００の側面から見える映像は自動車の側面に関する映像であり得る。
【００４０】
また、その他の角度から見た際は、その角度に該当する自動車の映像が提供され得る。
【００４１】
本発明の一実施例に係る、光素子ベースの立体映像発光ペンライトの取手部３００は、回転部１１０及び制御部１３０に電源を供給し、取手部３００に実装されるバッテリー部１４０を含み得る。
【００４２】
バッテリー部１４０は、内蔵バッテリーが実装されていても良く、別途のバッテリーを挿入して使用するものであっても良い。
【００４３】
また、取手部３００は、卓上スタンドや固定クリップを備え、取っ手の形態ではなく他の形態で備えられ得る。
【００４４】
図２に示されたように、制御部１３０は、取手部３００の内部に実装される形態で備えられ得る。
【００４５】
制御部１３０は、発光部２００又は回転部１１０に配置され、回転部１１０と共に回転するように備えられるものの、取手部３００は回転しないように備えられ得る。
【００４６】
即ち、制御部１３０は、取手部３００に実装されるとしても、上部にある回転部１１０と共に回転可能なように所定の空間を確保して備えられ得る。
【００４７】
制御部１３０がサブ発光素子１２１と隣接した領域の支持台上に実装され、サブ発光素子１２１と共に同じ方向に回転するように備えられても良い。
【００４８】
また、制御部１３０は、サブ発光素子１２１に対する信号を制御するための回路基板（ＰＣＢ）である。制御部１３０は、回転部の下方や取手領域が配置されることなく、サブ発光素子１２１と隣接して、取手部分とは別に、サブ発光素子１２１と共に回転するように配置され得る。
【００４９】
これにより、サブ発光素子１２１に対する信号の制御が容易になり、製造工程過程での便宜性と歩留まりの向上、及び製造コストの節減という効果があり得る。
【００５０】
さらに、バッテリー部１４０は、回転部１１０及び制御部１３０とは別に、回転部１１０及び制御部１３０が回転しても、回転しないように備えられ得る。この場合、制御部１３０（即ち、ＰＣＢ）が発光体１２０に近接して形成され、発光体１２０の信号の制御が容易であるだけでなく、製造工程過程においても容易に製造が可能となるので、製造歩留まりの向上又は製造コストの節減を達成することができる。
【００５１】
回転部１１０及び制御部１３０の位置は、本発明の一実施例を説明するための例示であるだけであり、取手部３００の内部で変更されて製作されても良く、その位置に応じて、制御部１３０が回転部１１０と共に回転しない構造に備えられても良い。
【００５２】
本発明の追加実施例により、発光体１２０が「Ｕ」字状又は「Ｏ」字状に備えられる場合、発光体１２０は「Ｕ」字状又は「Ｏ」字状の支持台を備え、支持台を介してバッテリー部１４０と連結され得る。
【００５３】
このとき、支持台は、回転部によって回転され、制御部１３０は、支持台の内部に実装され、発光体１２０と近接した距離に位置しても良い。
【００５４】
図３は、本発明の一実施例に係る、光素子ベースの立体映像発光ペンライトが回転する様子に関する例示図である。
【００５５】
図３を参照すると、回転部１１０は、棒状の回転軸を含み、発光体１２０の両端は、回転軸の両端に固定されて回転することができる。
【００５６】
つまり、回転部１１０の両端と２次元の線又は面状の発光体１２０の両端が固定されてその場回転をし、２次元の線又は面状の発光体が回転することで球状の立体発光領域４００が生成され、映像を提供（再生、表示）することができる。
【００５７】
このとき、発光体は、人が発光体の回転を認識できる周期よりも高い周期で回転することができる。
【００５８】
好ましくは、発光体は、６０Ｈｚ以上の周期で回転し、この場合、人が回転する発光体から鮮明な映像を見ることができる。
【００５９】
以下、図４を参照しながら、本発明の一実施例に係る、光素子ベースの立体映像発光ペンライトの発光体及び制御部について具体的に説明する。
【００６０】
図４は、本発明の一実施例に係る、光素子ベースの立体映像発光ペンライトの発光体１２０に関する例示図であり、４５度での発光、３５度での発光に関する例示図である。
【００６１】
発光体１２０の発光角度は、図３に示されたように、回転の始点が０度であっても良く、回転の始点から回転方向に発光角度を選定することができる。
【００６２】
つまり、本発明の一実施例に係る、光素子ベースの立体映像発光ペンライト１００は、回転部１１０及び制御部１３０に電源が供給されなければ動作することができないので、電源が供給されて回転を始める瞬間に発光体１２０の位置した地点が０度であり得る。
【００６３】
本発明の一実施例に係る、光素子ベースの立体映像発光ペンライトの発光体１２０は、複数のサブ発光素子１２１を含み、複数のサブ発光素子１２１は、所定間隔離間して備えられ、少なくとも２つのサブ発光素子１２１は、互いに異なる色を発光し、各サブ発光素子はＬＥＤ（Ｌｉｇｈｔ  Ｅｍｉｔｔｉｎｇ  Ｄｉｏｄｅ）モジュールであり得る。
【００６４】
但し、図４に示された発光体１２０は、本発明の一実施例を説明するための図面であるだけであり、これに限定されるものではなく、間隔が一定でなくても良く、より多くのサブ発光素子１２１が備えられても良い。
【００６５】
あるいは、発光体１２０は、光ファイバにより構成され得る。光ファイバは、互いに異なる色のＬＥＤモジュールが複数配列されたように、１つの光ファイバ内で複数の色を不連続的に（ｄｉｓｃｒｅｔｅ）発現することはできないが、彩度や明暗などを異ならせて発現することもできる。
【００６６】
発光体１２０は、制御部１３０によって制御され、制御部１３０は、回転部１１０を回転させるモータによって回転角度を収集し、予め設定された発光アルゴリズムに従い、発光体１２０が特定の回転角度に位置した際に発光体１２０内の特定の位置で予め設定された色が発光するよう、制御信号を発光体１２０に提供することができる。
【００６７】
ここで、モータは、好ましくは、回転角度及び回転数について確認可能となるよう、サーボモータであり、モータから直接収集することができる。
【００６８】
予め設定された発光アルゴリズムは、ペンライトを介して再生しようとするイメージ及び動画に応じて異なるように決定され、図４に示されたように、４５度の位置では上部から１番目、３番目及び６番目に配置されたサブ発光素子を発光させ、３５度では上部から２番目及び８番目に配置された発光素子を発光させることができる。
【００６９】
つまり、制御部１３０は、再生しようとするイメージ及び動画に関する情報を基に、発光体１２０が回転する角度に応じて発光角度を設定し、設定した発光角度に応じて発光体１２０に備えられた複数のサブ発光素子１２１に対する発光時間及び発光位置を決定して、発光体１２０が発光するように制御信号を提供することができる。
【００７０】
制御部１３０が回転部１１０のモータから直接回転角度を収集することができない場合、回転部１１０は、回転体及び回転体を囲んで構成される一側に磁力を有する素材を備える回転体周辺部を含み、回転体と磁力を有する素材とが互いに対応する位置に配列される瞬間の回転角度を０度に設定し、設定された角度を基準に回転角度を測定することができる。
【００７１】
つまり、一側に磁力を有する素材を備えた回転体が一側に磁力を有する素材を備えた回転体周辺部内で回転すると、磁力を有する素材が互いに対応する位置に配列（即ち、向かい合えば）されれば、磁力が生成され、磁力が生成される瞬間の回転角度は０度であると判断することができる。
【００７２】
回転開始時は互いに対応する位置ではなくても、回転体周辺部内で回転体がその場回転するので、それぞれの一側に備えられた磁力を有する素材が向かい合う瞬間が発生し得る。
【００７３】
このとき、制御部１３０は、磁力を有する素材が向かい合って磁力が発生するか、あるいは一時的に磁力が強く形成される瞬間を回転角度０度であると判断することができる。
【００７４】
また、制御部１３０は、同じ発光角度であるとしても、発光体１２０の発光時間及び発光色を変化させることで、発光体１２０の回転によって提供される映像にアニメーション効果を提供したり、映像を変化させることができる。
【００７５】
例えば、発光体１２０を毎度同じ回転角度で同じサブ発光素子１２１に対して発光させる場合は、全ての時間において停止している映像を示すことができるが、１秒、２秒、３秒の度に発光体１２０が同じ発光角度で異なる位置のサブ発光素子１２１を発光するように変化させる場合、連続した時間で動く映像を提供することができる。
【００７６】
つまり、固定したイメージだけでなく、動画のような動く映像に対しても、同じ回転角度において異なる発光位置及び発光時間を有するように制御信号を提供して再生することができる。
【００７７】
以下、図５乃至図６を参照しながら、本発明の一実施例に係る、光素子ベースの立体映像発光ペンライトの立体発光領域４００について具体的に説明する。
【００７８】
図５は、本発明の一実施例に係る、光素子ベースの立体映像発光ペンライトを正面から見た場合、立体発光領域４００が形成される領域について示されている。
【００７９】
立体発光領域４００とは、発光体１２０の回転によって映像が表示される領域を意味し、発光体１２０が回転することで形成する３次元構造物の表面の一部領域に形成され得る。
【００８０】
一方、一部領域は、３次元構造物の表面の中心付近に形成され、３次元構造物の表面における上部の一領域と下部の一領域には形成されなくても良い。このとき、３次元構造物は回転によって形成される構造物であるので、中心軸を基準に対称的な形状を有する構造物であり得る。
【００８１】
対称的な形状を有する構造物は、本発明の一実施例を説明するための例示であるだけであり、これに限定されるものではなく、３次元構造物は、対称ではない形態を有しても良い。
【００８２】
つまり、図５に示されたように、３次元構造物の表面の一部領域に形成されて提供されるものの、中心付近から形成され、立体発光領域４００が形成される領域の大きさは、提供されるイメージ及び動画の種類に応じて異なるように形成され得る。
【００８３】
図６は、光素子ベースの立体映像発光ペンライトを上側面から見た場合、立体発光領域が形成される領域について示されている。
【００８４】
図５によって説明したように、中心付近から立体発光領域４００が形成されるので、上側面から見た際は、回転部１１０の上端面を基準に所定の間隔を置いて中空の円形で立体発光領域４００が形成され得る。
【００８５】
本発明の追加実施例として、発光体の一端のみが回転軸に固定されて構成され得る。
【００８６】
例えば、プロペラのように発光体１２０の中央が回転軸に固定されて回転する形態に備えられても良く、一端が固定されて備えられても良い。
【００８７】
このような場合、立体発光領域４００が生成される面積がより広くなり、様々な立体効果を与えることができる。
【００８８】
図７は、本発明の一実施例に係る、光素子ベースの立体映像発光ペンライトを見る人の位置や角度に応じて異なる映像が提供される様子に関する例示図である。
【００８９】
図７に示されたように、正面から見る場合、「Ｉ  ＬＯＶＥ  Ｙ」という全テキストが全て見られ、９０度の位置から見る場合、「Ｅ  ＹＯＵ  ハートマーク」というテキストのみが見られることができる。
【００９０】
本発明の一実施例に係る、光素子ベースの立体映像発光ペンライト１００は、発光体１２０が回転して形成する球状の表面に立体発光領域４００を生成するので、見る角度や位置に応じて見える映像が異なり、実際にその映像を見る角度で見える映像が提供され得る。
【００９１】
つまり、立体発光領域４００は、発光体１２０が回転して形成されるので、面の屈曲に形成され、これにより、見る角度に応じて色と模様が異なることがあり得る。
【００９２】
本発明の追加実施例として、本発明の一実施例に係る、光素子ベースの立体映像発光ペンライトは、取手部３００にＵＳＢ、ＳＤカードのようなメモリデバイスを挿入可能な孔を備えることができる。
【００９３】
取手部３００に備えられた孔を介してメモリデバイスを挿入し、イメージ又は動画のようなファイルを制御部１３０に提供する場合、制御部１３０は、当該ファイルを参考にして発光体の発光角度、発光位置、発光時間を設定しアルゴリズム化して、ペンライトを介して再生することができる。
【００９４】
さらに、取手部３００に備えられた孔を介してバッテリー部１４０に電力を供給することができる。例えば、ＵＳＢポートが備えられ、ＵＳＢ端子に連結可能な外部装置が取手部３００に結合される場合、電力が供給されることができる。
【００９５】
本発明の他の実施例として、本発明の一実施例に係る、光素子ベースの立体映像発光ペンライトは、通信モジュールをさらに含み得る。
【００９６】
通信モジュールは、ブルートゥース（ＢＬＥ、Ｂｌｕｅｔｏｏｔｈ  Ｌｏｗ  Ｅｎｅｒｇｙ）、ＮＦＣ、ＲＦＩＤ、超音波（Ｕｌｔｒａｓｏｎｉｃ）、赤外線、ワイファイ（ＷｉＦｉ）、ライファイ（ＬｉＦｉ）などを搭載したモジュールであっても良く、通信モジュールを介してスマートフォン、タブレットＰＣなどのような端末と通信することができる。
【００９７】
例えば、公演の演出をするために、特定の位置にペンライトの映像を指定しなければならない場合、通信が可能な端末を介して制御することができる。
【００９８】
また、特定のＱＲコードを認識する場合、認識したＱＲコードに対応する映像を提供することができる。
【００９９】
図８は、本発明の一実施例に係る、光素子ベースの立体映像発光ペンライトに関する例示図である。
【０１００】
本発明の一実施例を説明するために、「ＡＢＣ」というフレーズを挿入したが、これに限定されるものではなく、様々なフレーズが挿入可能であり、上述したようにイメージや動画が再生されることもできる。
【０１０１】
図８を参照すると、取手部３００の形状が異なり、保護ケース１５０の形状が異なるペンライトが示されており、これは本発明の一実施例を説明するための例示であるだけであり、光素子ベースの立体映像発光ペンライトの外観は様々な形態に備えられ得る。
【０１０２】
以下では、図９を参照しながら、本発明の追加実施例に係る、光素子ベースの立体映像発光ペンライトについて具体的に説明する。
【０１０３】
本発明の追加実施例に係る、立体映像発光ペンライトの発光体１２０は、少なくとも１つの色を発光する複数のサブ発光素子１２１にて備えられ得る。
【０１０４】
このとき、発光体１２０は、示されたような四角形状（図９に図示）の支持台１２２と、支持台１２２の両側面に複数のサブ発光素子１２１を含み得る。発光体１２０は、ペンライト１００の内部で回転することによって、３次元形状の立体発光領域４００を形成することができる。一方、支持台１２２は、図面に示された形態だけでなく様々な形状に形成されることができ、偏平な板状に備えられ得る。
【０１０５】
発光体１２０を回転させる回転部１１０は、ペンライト１００の中心軸上（発光体１２０の中心軸上）に位置し、上端は保護ケース１５０、下端はモータ１６０と連結されて固定されることができる。
【０１０６】
発光体１２０は回転部１１０を基点にして対称に構成されるので、回転部１１０は発光体１２０の中心部から延びて備えられ得る。
【０１０７】
それにより、発光体１２０の両端と回転軸の両端とが互いに対応して固定されると言える。
【０１０８】
これにより、発光体１２０が回転する際に発光体１２０を回転軸の上端と下端が固定することになり、発光体１２０の遠心力によって発光体１２０が飛んで行こうとする現象を阻むことができるので、発光装置の振動が顕著に低減されることができる。
【０１０９】
本発明の追加実施例に係る立体映像発光ペンライトは、制御部１３０を備え、制御部１３０は、内部に実装される２つのＰＣＢにより構成され得る。
【０１１０】
複数のサブ発光素子１２１の発光色及び発光周期を制御し、回転部１１０を回転させるモータ１６０を制御する第１のＰＣＢ５１０は、発光体１２０の内部に実装されて備えられ得る。
【０１１１】
第１のＰＣＢ５１０によって制御されるモータ１６０は、発光体１２０を回転させて立体発光領域４００を形成するために、発光体１２０を１２００Ｒｐｍ〜１６００Ｒｐｍの速度で回転させることができるが、これは好ましい実施例のための速度であるだけであり、これに限定されるものではない。
【０１１２】
また、モータ１６０は、保護ケース１５０と取手部３００の間に位置し、これにより、回転部１１０が回転しても取手部３００は回転しないように備えられ得る。
【０１１３】
また、取手部３００には、音の出力が可能なスピーカ６１０が含まれていても良い。
【０１１４】
第２のＰＣＢ５２０は、取手部３００に位置し、ペンライト１００の電源をｏｎ／ｏｆｆするスイッチ１３１と連結され、スピーカ６１０を制御することができる。
【０１１５】
スイッチ１３１は、スイッチを押す回数に応じて異なる制御信号を提供することができる。
【０１１６】
つまり、スイッチ１３１を押す回数に応じて、予め設定されたシナリオに該当する映像を再生する形態で制御し、当該シナリオはユーザが変更することができる。
【０１１７】
例えば、スイッチ１３１を１回押すと、第１のシナリオである人物の停止映像を提供するように制御し、２回押すと、第２のシナリオである人物の動画（立体映像、アニメーションなど）を提供するように制御し、３回押すと、第３のシナリオである動画と音楽が共に提供されるように制御し、４回押すと、電源が切られるように制御する。
【０１１８】
このとき、動画と音楽は互いに同期化されて提供され得る。例えば、ミュージックビデオの動画が再生されると、動画内の人物の口の動きに合わせて音楽が再生されるように同期化される。
【０１１９】
スイッチ１３１の入力によって第１及び第２のＰＣＢ５１０、５２０に特定の信号が印加され、第１及び第２のＰＣＢ５１０、５２０はそれに合わせた制御信号を生じさせることによって、上記のような様々なシナリオに応じた発光を行うことができる。
【０１２０】
スイッチ１３１を押す回数に応じた制御シナリオは、本発明の実施例を説明するためだけのものであり、これに限定されるものではなく、ユーザ又は製造会社が必要に応じて異なるシナリオを適用できることは当業者にとって自明な事実であると言える。
【０１２１】
バッテリー部１４０は、内蔵バッテリーが実装されていても良く、別途のバッテリーを挿入して使用するものであっても良い。
【０１２２】
つまり、本発明の追加実施例に係る立体映像発光ペンライト１００は、発光体１２０及びモータ１６０を制御する第１のＰＣＢ５１０と、ペンライト１００の電源及びスピーカ６１０を制御する第２のＰＣＢ５２０と、を含めて備えられ得る。
【０１２３】
また、発光体の形態が、帯の形態ではなく、両側面に複数のサブ発光素子１２１を具備できる図形の形態に備えられ、発光体１２０は、回転部１１０の回転軸によって固定されることができる。
【０１２４】
一方、図１０は、本発明の他の実施例に係る発光装置である。図１０の発光装置は、発光体の支持台が円形に形成され、回転部が発光体の下端で連結されるという点で異なっており、残りの他の構成要素は同一である。
【０１２５】
本発明の方法及びシステムは特定の実施例と関連して説明されたが、それらの構成要素又は動作の一部又は全部は、汎用のハードウェアアーキテクチャを有するコンピュータシステムを使用して具現され得る。
【０１２６】
上述した本発明の説明は例示のためのものであり、本発明の属する技術分野において通常の知識を有する者であれば、本発明の技術的思想や必須の特徴を変更せずに他の具体的な形態に容易に変形可能であるということを理解できるはずである。それゆえ、上記した実施例は全ての面において例示的なものであり、限定的なものではないと理解すべきである。例えば、単一型で説明されている各構成要素は分散して実施されることもでき、同様に、分散したものと説明されている構成要素も結合された形態で実施されることができる。
【０１２７】
本発明の範囲は、上記した詳細な説明よりは後述する特許請求の範囲によって示され、特許請求の範囲の意味及び範囲、並びにその均等概念から導出される全ての変更又は変形された形態が本発明の範囲に含まれると解釈されなければならない。
【符号の説明】
【０１２８】
１００：ペンライト
１１０：回転部
１２０：発光体
１２１：サブ発光素子
１２２：支持台
１３０：制御部
１４０：バッテリー部
１５０：保護ケース
１６０：モータ
２００：発光部
３００：取手部
４００：立体発光領域
５１０：第１のＰＣＢ
５２０：第２のＰＣＢ
【図１】
2020177902.tif 000003
【図２】
2020177902.tif 000004
【図３】
2020177902.tif 000005
【図４】
2020177902.tif 000006
【図５】
2020177902.tif 000007
【図６】
2020177902.tif 000008
【図７】
2020177902.tif 000009
【図８】
2020177902.tif 000010
【図９】
2020177902.tif 000011
【図１０】
2020177902.tif 000012